(57)【特許請求の範囲】
【請求項１】
検体を測定するための複数の測定ユニットを備えており、一の検体ラックに保持された複数の検体を、前記複数の測定ユニットに振り分けて供給し、供給された検体を各々の測定ユニットで測定する分析装置であって、
１つの搬送路上で上流側から下流側に向かう第１方向と、その逆の第２方向の両方に検体ラックを搬送可能に構成されたラック搬送部を備え、前記複数の測定ユニットがそれぞれ前記ラック搬送部に沿って配置されており、複数の検体を保持した一の検体ラックを前記ラック搬送部により前記第１方向と前記第２方向とに搬送することにより前記複数の測定ユニットのそれぞれに検体を搬送可能に構成された搬送装置と、
複数の測定ユニットのうち一の測定ユニットを優先検体を測定する優先検体測定モードに設定する優先検体測定モード設定手段と、
前記優先検体測定モード設定手段により前記一の測定ユニットが優先検体測定モードに設定されたとき、前記一の測定ユニットに搬送予定であった検体の搬送先を変更するように前記搬送装置を制御する搬送制御手段と、を備える、分析装置。
【請求項２】
前記搬送制御手段は、前記優先検体測定モードに設定された前記一の測定ユニット以外の測定ユニット、検体を収容する検体容器の有無を確認するための検体有無確認位置、および、検体を収容する検体容器に付された識別子を読み取るための読取位置のうちの何れかの搬送先に、前記一の測定ユニットに搬送予定であった検体を搬送するように前記搬送装置を制御する、請求項１に記載の分析装置。
【請求項３】
前記複数の測定ユニットが第１および第２測定ユニットからなり、
前記搬送制御手段は、前記第１および第２測定ユニットのいずれも前記優先検体測定モードに設定されていない場合には、複数の検体を、前記第１測定ユニットおよび前記第２測定ユニットに交互に搬送するように前記搬送装置を制御するように構成されている、請求項１または２に記載の分析装置。
【請求項４】
前記優先検体測定モード設定手段は、前記複数の測定ユニットにそれぞれ設けられたボタンを含む、請求項１〜３のいずれか１項に記載の分析装置。
【請求項５】
表示部をさらに備え、
前記優先検体測定モード設定手段によって前記一の測定ユニットが前記優先検体測定モードに設定されると、前記表示部に、前記優先検体の情報を入力するための画面を表示させる画面表示手段を含む、請求項１〜３のいずれか１項に記載の分析装置。
【請求項６】
前記優先検体測定モード設定手段は、前記複数の測定ユニットのうち、前記優先検体の測定をより早く行うことが可能な測定ユニットを選択して、選択した測定ユニットを前記優先検体測定モードに設定する、請求項５に記載の分析装置。
【請求項７】
前記複数の測定ユニットは、同種類の測定ユニットである、請求項１〜６のいずれか１項に記載の分析装置。
【請求項８】
前記複数の測定ユニットは、それぞれ前記優先検体の測定を開始するための測定開始ボタンを含む、請求項１〜７のいずれか１項に記載の分析装置。
【請求項９】
前記ラック搬送部は、検体ラックを保持して前記各測定ユニットに搬送するための搬送ベルトを備える、請求項１〜８のいずれか１項に記載の分析装置。
【請求項１０】
前記各測定ユニットは、前記優先検体を受け入れ可能に構成された検体セット部を備える、請求項１〜９のいずれか１項に記載の分析装置。
【請求項１１】
１つの搬送路上で検体ラックを上流側から下流側に向かう第１方向と、その逆の第２方向とに搬送することにより、前記検体ラックに保持された複数の検体を、複数の測定ユニットのそれぞれに振り分けて供給し、各測定ユニットにおいて検体を測定する分析装置における検体の測定方法であって、
複数の前記測定ユニットのうち一の測定ユニットを優先検体測定モードに設定し、
前記優先検体測定モードに設定された前記一の測定ユニットに搬送予定であった検体の搬送先を変更し、
前記優先検体測定モードに設定された前記一の測定ユニットにおいて、優先検体を測定する、検体の測定方法。
【請求項１２】
前記変更後の搬送先は、前記優先検体測定モードに設定された前記一の測定ユニット以外の測定ユニット、検体を収容する検体容器の有無を確認するための検体有無確認位置、および、検体を収容する検体容器に付された識別子を読み取るための読取位置のうちの何れかである、請求項１１に記載の検体の測定方法。
【発明の詳細な説明】
【技術分野】
【０００１】
本発明は、分析装置および検体の測定方法に関し、特に、複数の測定ユニットを備えた分析装置および検体の測定方法に関する。
【背景技術】
【０００２】
従来、複数の検体を自動的に搬送し、搬送された検体を分析する分析装置が知られている（たとえば、特許文献１および２参照）。このような分析装置は、１つの測定ユニットに１つの搬送装置が接続されている。
【先行技術文献】
【特許文献】
【０００３】
【特許文献１】特開２００５−２５７４５０号公報
【特許文献２】特開２００７−１３９４６２号公報
【発明の概要】
【発明が解決しようとする課題】
【０００４】
しかしながら、上記特許文献１および２に記載したような分析装置では、１つの搬送装置に対して測定ユニットが１つしかないので、検体の処理能力を大きく向上させることが難しいという問題点があった。一方、このような分析装置に、測定ユニットを複数設ければ検体の処理能力は大きく向上するが、その場合の搬送装置の構成は全く知られていなかった。たとえば、検体の処理能力を向上させようとすれば、検体を効率よく複数の測定ユニットに搬送する必要があるため、搬送装置が大型化してしまう。一方、搬送装置を小型化しようとすれば、検体を効率よく搬送することができず、検体の処理能力が低下してしまう。特に、他の検体と比較して分析結果をより早く入手することが必要な優先検体を処理しようとすれば、他の検体を効率よく搬送することが非常に難しい。
【０００５】
この発明は、上記のような課題を解決するためになされたものであり、この発明の１つの目的は、装置の大型化を回避し、かつ、緊急検体を処理する場合にも、複数のラックを効率よく測定ユニットに分配することが可能な分析装置を提供することである。
【課題を解決するための手段および発明の効果】
【０００６】
上記目的を達成するために、この発明の第１の局面における分析装置は、検体を測定するための複数の測定ユニットを備えており、一の検体ラックに保持された複数の検体を、複数の測定ユニットに振り分けて供給し、供給された検体を各々の測定ユニットで測定する分析装置であって、１つの搬送路上で上流側から下流側に向かう第１方向と、その逆の第２方向の両方に検体ラックを搬送可能に構成されたラック搬送部を備え、複数の測定ユニットがそれぞれラック搬送部に沿って配置されており、複数の検体を保持した一の検体ラックをラック搬送部により第１方向と第２方向とに搬送することにより複数の測定ユニットのそれぞれに検体を搬送可能に構成された搬送装置と、複数の測定ユニットのうち一の測定ユニットを優先検体を測定する優先検体測定モードに設定する優先検体測定モード設定手段と、優先検体測定モード設定手段により一の測定ユニットが優先検体測定モードに設定されたとき、一の測定ユニットに搬送予定であった検体の搬送先を変更するように搬送装置を制御する搬送制御手段と、を備える。
【０００７】
この発明の第１の局面による分析装置では、上記のように、一の測定ユニットに搬送予定であった検体に優先して優先検体を測定することによって、ユーザが優先検体の測定を指示する場合に、優先検体の測定が一の測定ユニットに搬送予定であった検体に優先して行われるので、一の測定ユニットに搬送予定であった検体よりも優先して処理する必要のある優先検体の処理を迅速に行うことができる。また、この分析装置では、一のユニットに搬送予定であった検体の搬送先を変更するように搬送装置を制御する搬送制御手段を設けることによって、たとえば、一の測定ユニットに搬送予定であった検体よりも優先して処理する必要のある優先検体を測定することが指示された場合には、優先検体の測定を一の測定ユニットで行いながら、優先検体の測定と並行して一の測定ユニットに搬送予定であった検体の処理を行うことができる。これにより、一の測定ユニットに搬送予定であった検体の処理を保留する必要がないので、優先検体の数が多い場合にも、一の測定ユニットに搬送予定であった検体の処理が大幅に遅れるのを抑制することができる。さらに、一の測定ユニットに、ユーザが優先検体を直接提供すれば、搬送装置が優先検体を搬送する必要がなくなるので、優先検体の搬送時間分だけ、一の測定ユニットに搬送予定であった検体よりも優先して処理する必要のある優先検体の処理をより迅速に行うことができる。したがって、この分析装置では、装置の大型化を回避しながら、一の測定ユニットに搬送予定であった検体よりも優先して処理する必要のある優先検体以外の他の検体の処理を大幅に遅らせることなく、優先検体の処理を迅速に行うことができる。
【０００８】
上記第１の局面による分析装置において、好ましくは、搬送制御手段は、優先検体測定モードに設定された一の測定ユニット以外の測定ユニット、検体を収容する検体容器の有無を確認するための検体有無確認位置、および、検体を収容する検体容器に付された識別子を読み取るための読取位置のうちの何れかの搬送先に、一の測定ユニットに搬送予定であった検体を搬送するように搬送装置を制御する。このように構成すれば、優先検体の測定が指示された場合に、複数の測定ユニットのうちのいずれの測定ユニットにおいても一の測定ユニットに搬送予定であった検体の測定を行うことができない場合でも、一の測定ユニットに搬送予定であった検体について、検体有無確認位置に検体を搬送する動作、および、読取位置に検体を搬送する動作のいずれかの動作を行うことができる。その結果、優先検体以外の他の検体の処理が大幅に遅れるのをより抑制することができる。
【０００９】
上記第１の局面による分析装置において、好ましくは、複数の測定ユニットが第１および第２測定ユニットからなり、搬送制御手段は、第１および第２測定ユニットのいずれも優先検体測定モードに設定されていない場合には、複数の検体を、第１測定ユニットおよび第２測定ユニットに交互に搬送するように搬送装置を制御するように構成されている。このように構成すれば、一の測定ユニットに搬送予定であった検体よりも優先して処理する必要のある優先検体がない場合に、各測定ユニットに効率よく一の測定ユニットに搬送予定であった検体を搬送することができるので、検体の処理を迅速に行うことができる。
【００１０】
上記第１の局面による分析装置において、好ましくは、優先検体測定モード設定手段は、複数の測定ユニットにそれぞれ設けられたボタンを含む。このように構成すれば、ユーザは、ボタンを押下することにより、容易に、優先検体の測定を指示することができる。
【００１１】
上記第１の局面による分析装置において、好ましくは、表示部をさらに備え、優先検体測定モード設定手段によって一の測定ユニットが優先検体測定モードに設定されると、表示部に、優先検体の情報を入力するための画面を表示させる画面表示手段を含む。
【００１２】
この場合、好ましくは、優先検体測定モード設定手段は、複数の測定ユニットのうち、優先検体の測定をより早く行うことが可能な測定ユニットを選択して、選択した測定ユニットを優先検体測定モードに設定する。このように構成すれば、より早く測定を行うことが可能な測定ユニットで優先検体の測定を行うことができるので、優先検体の処理をより迅速に行うことができる。
【００１３】
上記第１の局面による分析装置において、複数の測定ユニットは、同種類の測定ユニットであってもよい。
【００１４】
上記第１の局面による分析装置において、好ましくは、複数の測定ユニットは、それぞれ優先検体の測定を開始するための測定開始ボタンを含む。このように構成すれば、ユーザは、各測定ユニットに設けられた測定開始ボタンを押下することによって、容易に、優先検体の測定を開始することができる。
上記第１の局面による分析装置において、好ましくは、ラック搬送部は、検体ラックを保持して各測定ユニットに搬送するための搬送ベルトを備える。
上記第１の局面による分析装置において、好ましくは、各測定ユニットは、優先検体を受け入れ可能に構成された検体セット部を備える。
【００１５】
この発明の第２の局面における検体の測定方法は、１つの搬送路上で検体ラックを上流側から下流側に向かう第１方向と、その逆の第２方向とに搬送することにより、検体ラックに保持された複数の検体を、複数の測定ユニットのそれぞれに振り分けて供給し、各測定ユニットにおいて検体を測定する分析装置における検体の測定方法であって、複数の測定ユニットのうち一の測定ユニットを優先検体測定モードに設定し、優先検体測定モードに設定された一の測定ユニットに搬送予定であった検体の搬送先を変更し、優先検体測定モードに設定された一の測定ユニットにおいて、優先検体を測定する。
【００１６】
この発明の第２の局面による検体の測定方法では、上記のように、一の測定ユニットに搬送予定であった検体の搬送先を変更することによって、優先検体の測定が一の測定ユニットに搬送予定であった検体に優先して行われるので、一の測定ユニットに搬送予定の検体よりも優先して処理する必要のある優先検体の処理を迅速に行うことができる。また、たとえば、一の測定ユニットに搬送予定であった検体よりも優先して処理する必要のある優先検体を一の測定ユニットで測定することが指示された場合には、優先検体の測定を一の測定ユニットで行いながら、優先検体の測定と並行して一の測定ユニットに搬送予定であった検体の処理を行うことができる。これにより、一の測定ユニットに搬送予定であった検体の処理を保留する必要がないので、一の測定ユニットに搬送予定であった検体よりも優先して処理する必要のある優先検体の数が多い場合にも、一の測定ユニットに搬送予定であった検体の処理が大幅に遅れるのを抑制することができる。さらに、一の測定ユニットに、ユーザが優先検体を直接提供すれば、搬送装置が優先検体を搬送する必要がなくなるので、優先検体の搬送時間分だけ、一の測定ユニットに搬送予定であった検体よりも優先して処理する必要のある優先検体の処理をより迅速に行うことができる。したがって、この検体の搬送方法では、装置の大型化を回避しながら、一の測定ユニットに搬送予定であった検体よりも優先して処理する必要のある優先検体以外の他の検体の処理を大幅に遅らせることなく、優先検体の処理を迅速に行うことができる。
上記第２の局面による検体の測定方法において、好ましくは、変更後の搬送先は、優先検体測定モードに設定された一の測定ユニット以外の測定ユニット、検体を収容する検体容器の有無を確認するための検体有無確認位置、および、検体を収容する検体容器に付された識別子を読み取るための読取位置のうちの何れかである。
【図面の簡単な説明】
【００１７】
【図１】本発明の第１実施形態による血液分析装置の全体構成を示した斜視図である。
【図２】図１に示した第１実施形態による血液分析装置の各部の詳細を説明するための斜視図である。
【図３】図１に示した第１実施形態による血液分析装置の測定ユニットおよび検体搬送装置を示す概略図である。
【図４】図１に示した第１実施形態による血液分析装置の測定ユニットおよび検体搬送装置を示す斜視図である。
【図５】図１に示した第１実施形態による血液分析装置のラックおよびサンプル容器を示す斜視図である。
【図６】図１に示した第１実施形態による血液分析装置の検体搬送装置を説明するための平面図である。
【図７】図１に示した第１実施形態による血液分析装置の検体搬送装置を説明するための側面図である。
【図８】図１に示した第１実施形態による血液分析装置の検体搬送装置を説明するための側面図である。
【図９】図１に示した第１実施形態による血液分析装置の制御装置を説明するためのブロック図である。
【図１０】図１に示した第１実施形態による血液分析装置の優先検体測定指示画面を示した図である。
【図１１】図１に示した第１実施形態による血液分析装置の測定処理プログラムによる測定処理動作を説明するためのフロー図である。
【図１２】図１に示した第１実施形態による血液分析装置の第１測定ユニットおよび第２測定ユニットの状態遷移を説明するための状態遷移図である。
【図１３】図１に示した第１実施形態による血液分析装置の検体搬送装置の状態遷移を説明するための状態遷移図である。
【図１４】図１に示した第１実施形態による血液分析装置の検体搬送装置の次の動作を決定する処理を説明するためのフロー図である。
【図１５】図１に示した第１実施形態による血液分析装置のイベント通知を示した図である。
【図１６】図１に示した第１実施形態による血液分析装置のコマンドの優先順位を示した図である。
【図１７】図１に示した第１実施形態による血液分析装置の優先検体測定時の動作を説明するためのフロー図である。
【図１８】図１に示した第１実施形態による血液分析装置の変形例における検体搬送装置の動作を説明するためのフロー図である。
【図１９】本発明の第２実施形態による血液分析装置の全体構成を示した斜視図である。
【図２０】図１９に示した第２実施形態による血液分析装置の優先検体測定時の動作を説明するためのフロー図である。
【図２１】本発明の第３実施形態による血液分析装置の全体構成を示した斜視図である。
【図２２】図２１に示した第３実施形態による血液分析装置の優先検体測定時の動作を説明するためのフロー図である。
【図２３】本発明の第１実施形態による血液分析装置の変形例を説明するための図である。
【発明を実施するための形態】
【００１８】
以下、本発明を具体化した実施形態を図面に基づいて説明する。
【００１９】
（第１実施形態）
図１は、本発明の第１実施形態による血液分析装置の全体構成を示した斜視図である。図２〜図１０は、図１に示した第１実施形態による血液分析装置の各部の詳細を説明するための図である。まず、図１〜図１０を参照して、本発明の第１実施形態による血液分析装置１の全体構成について説明する。なお、第１実施形態では、分析装置の一例である血液分析装置に本発明を適用した場合について説明する。
【００２０】
本発明の第１実施形態による血液分析装置１は、図１および図２に示すように、第１測定ユニット２および第２測定ユニット３の２つの測定ユニットと、第１測定ユニット２および第２測定ユニット３の前面側に配置された検体搬送装置（サンプラ）４と、第１測定ユニット２、第２測定ユニット３および検体搬送装置４に電気的に接続されたＰＣ（パーソナルコンピュータ）からなる制御装置５とを備えている。また、血液分析装置１は、制御装置５によりホストコンピュータ６（図３参照）に接続されている。
【００２１】
なお、血液分析装置１は、複数の分析装置を搬送装置によって接続した搬送システムではなく、スタンドアローンの分析装置である。また、この血液分析装置１を搬送システムに組み込んでもよい。
【００２２】
また、図１〜図４に示すように、第１測定ユニット２および第２測定ユニット３は、実質的に同種類の測定ユニット（本実施形態では、第２測定ユニット３は、第１測定ユニット２と同じ測定原理を使用して、同一の測定項目について検体を測定する。さらに第２測定ユニット３は、第１測定ユニット２が分析しない測定項目についても測定する）であり、互いに隣接して配置されている。ここで、同種類とは、２つの測定ユニットが完全に同一の測定項目について検体を測定する場合のみならず、第１測定ユニット２による複数の測定項目と第２測定ユニット３による複数の測定項目とが部分的に共通している場合も含む。また、図３に示すように、第１測定ユニット２および第２測定ユニット３は、それぞれ、検体である血液をサンプル容器（試験管）１００から吸引する検体吸引部２１および３１と、検体吸引部２１および３１により吸引した血液から検出用試料を調製する試料調製部２２および３２と、試料調製部２２および３２により調製された検出用試料から血液の血球を検出する検出部２３および３３とを含んでいる。また、第１測定ユニット２および第２測定ユニット３は、それぞれ、検体搬送装置４が搬送するラック１０１（図５参照）に収容されたサンプル容器１００を内部に取り込むための取り込み口２４および３４（図１および図２参照）と、ラック１０１からサンプル容器１００を内部に取り込み、検体吸引部２１および３１による吸引位置（図３参照）までサンプル容器１００を搬送するサンプル容器搬送部２５および３５とをさらに含んでいる。また、図１および図２に示すように、第１測定ユニット２および第２測定ユニット３の外側表面には、それぞれ、検体セット部開閉ボタン２６および３６と、優先検体測定開始ボタン２７および３７とが設けられている。
【００２３】
検体吸引部２１および３１の先端部には、それぞれ針（図示せず）が設けられている。また、検体吸引部２１および３１は、それぞれ、鉛直方向（矢印Ｚ方向）に移動可能に構成されている。また、検体吸引部２１および３１は、下方に移動されることによって、吸引位置まで搬送されたサンプル容器１００の密閉蓋を貫通し、内部の血液を吸引するように構成されている。
【００２４】
検出部２３および３３は、ＲＢＣ検出（赤血球の検出）およびＰＬＴ検出（血小板の検出）をシースフローＤＣ検出法により行うとともに、ＨＧＢ検出（血液中の血色素の検出）をＳＬＳ−ヘモグロビン法により行うように構成されている。また、検出部２３および３３は、ＷＢＣ検出（白血球の検出）を半導体レーザを使用したフローサイトメトリー法により行うようにも構成されている。
【００２５】
検出部２３および３３で得られた検出結果は、検体の測定データ（測定結果）として、制御装置５に送信される。なお、この測定データは、ユーザに提供される最終的な分析結果（赤血球数、血小板数、ヘモグロビン量、白血球数など）のもととなるデータである。
【００２６】
サンプル容器搬送部２５および３５は、図３および図４に示すように、それぞれ、サンプル容器１００を把持することが可能なハンド部２５１および３５１と、サンプル容器１００を把持するようにハンド部２５１および３５１をそれぞれ開閉させる開閉部２５２および３５２と、ハンド部２５１および３５１をそれぞれ鉛直方向（矢印Ｚ方向）に直線移動する鉛直移動部２５３および３５３と、ハンド部２５１および３５１をそれぞれ鉛直方向（矢印Ｚ方向）に振り子状に移動する攪拌部２５４および３５４とを有している。また、サンプル容器搬送部２５および３５は、それぞれ、ハンド部２５１および３５１によりラック１０１から取得されたサンプル容器１００を検体セット部２５５ａ（図３参照）および３５５ａに保持し、検体吸引部２１および３１の吸引位置まで矢印Ｙ方向に水平に直線移動するサンプル容器移動部２５５（図３参照）および３５５と、バーコード読取部２５６および３５６とをさらに有している。
【００２７】
ハンド部２５１および３５１は、それぞれ、検体搬送装置４が搬送するラック１０１の搬送路の上方に配置されている。また、ハンド部２５１および３５１は、それぞれ、後述する第１提供位置４３ａおよび第２提供位置４３ｂ（図３参照）にサンプル容器１００が搬送された場合に、下方（矢印Ｚ方向）に移動した後、開閉部２５２および３５２により開閉されることによりラック１０１に収容されたサンプル容器１００を把持するように構成されている。また、ハンド部２５１および３５１は、把持したサンプル容器１００を上方に移動してラック１０１から取り出し、その後、攪拌部２５４および３５４によりそれぞれ振り子状に移動される（たとえば、１０往復）ように構成されている。これにより、ハンド部２５１および３５１は、把持するサンプル容器１００内の血液を攪拌することが可能である。また、攪拌終了後、ハンド部２５１および３５１は、下方に移動した後、開閉部２５２および３５２によりサンプル容器１００の把持を開放するように構成されている。これにより、ハンド部２５１および３５１は、サンプル容器移動部２５５および３５５の検体セット部２５５ａおよび３５５ａにサンプル容器１００をセットすることが可能である。
【００２８】
開閉部２５２および３５２は、それぞれ、エアシリンダ２５２ａおよび３５２ａによる動力により、サンプル容器１００を把持するようにハンド部２５１および３５１を開閉するように構成されている。
【００２９】
鉛直移動部２５３および３５３は、それぞれ、ステッピングモータ２５３ａおよび３５３ａによる動力により、レール２５３ｂおよび３５３ｂに沿ってハンド部２５１および３５１を鉛直方向（矢印Ｚ方向）に移動するように構成されている。
【００３０】
攪拌部２５４および３５４は、それぞれ、図示しないステッピングモータによる動力により、ハンド部２５１および３５１を鉛直方向（矢印Ｚ方向）に振り子状に移動するように構成されている。
【００３１】
サンプル容器移動部２５５および３５５は、それぞれ、図示しないステッピングモータによる動力により、検体セット部２５５ａおよび３５５ａを矢印Ｙ方向に水平移動するように構成されている。これにより、図３に示すように、サンプル容器移動部２５５および３５５は、検体セット部２５５ａおよび３５５ａにセットされたサンプル容器１００を、優先検体セット位置、攪拌位置、バーコード読取位置および吸引位置に搬送することが可能である。また、サンプル容器移動部２５５および３５５は、矢印Ｘ方向に搬送されるラック１０１の搬送路に平面的に見て交差するように、ラック１０１の搬送路の上方を通過してサンプル容器１００を搬送するように構成されている。また、検体セット部２５５ａおよび３５５ａは、ユーザが検体セット部開閉ボタン２６および３６（図１および図２参照）を押下した場合に、優先検体セット位置（図３参照）まで移動されるように構成されている。また、サンプル容器移動部２５５および３５５は、図示しない規制部によりそれぞれの吸引位置においてサンプル容器１００をクランプ（固定）するように構成されている。
【００３２】
バーコード読取部２５６および３５６は、図５に示すような、各サンプル容器１００に貼付されたバーコード１００ａを読み取るように構成されている。また、バーコード読取部２５６および３５６は、図示しない回転装置によって対象のサンプル容器１００を検体セット部２５５ａおよび３５５ａに保持したまま水平方向に回転させながらサンプル容器１００のバーコード１００ａを読み取るように構成されている。これにより、サンプル容器１００のバーコード１００ａがバーコード読取部２５６および３５６に対して反対側に貼付されている場合にも、サンプル容器１００を回転させることによって、バーコード１００ａをバーコード読取部２５６および３５６側に向けることが可能である。また、各サンプル容器１００のバーコード１００ａは、各検体に固有に付されたものであり、各検体の分析結果の管理などに使用される。
【００３３】
検体セット部開閉ボタン２６および３６は、優先検体の測定を行う際に、ユーザにより押下可能なように構成されている。
【００３４】
優先検体測定開始ボタン２７および３７は、ユーザにより押下可能なように構成されている。ユーザが、優先検体を検体セット部２５５ａおよび３５５ａにセットした後、優先検体測定開始ボタン２７および３７を押下すると、優先検体がセットされた検体セット部２５５ａおよび３５５ａが、測定ユニットの内部に取り込まれ、測定が開始される。
【００３５】
また、図４および図６に示すように、検体搬送装置４は、分析が行われる前の検体を収容するサンプル容器１００が収容された複数のラック１０１を保持することが可能な分析前ラック保持部４１と、分析が行われた後の検体を収容するサンプル容器１００が収容された複数のラック１０１を保持することが可能な分析後ラック保持部４２と、ラック１０１を矢印Ｘ方向に水平に直線移動するラック搬送部４３と、バーコード読取部４４と、サンプル容器１００の有無を検知する有無検知センサ４５（図４参照）と、分析後ラック保持部４２内にラック１０１を移動するラック送出部４６とを含んでいる。
【００３６】
分析前ラック保持部４１は、ラック送込部４１１を有し、ラック送込部４１１が矢印Ｙ方向に移動することによって、分析前ラック保持部４１に保持されたラック１０１を１つずつラック搬送部４３上に押し出すように構成されている。ラック送込部４１１は、分析前ラック保持部４１の下方に設けられた図示しないステッピングモータによって駆動するように構成されている。また、分析前ラック保持部４１は、ラック搬送部４３近傍に規制部４１２（図４参照）を有し、一度ラック搬送部４３上に押し出されたラック１０１が分析前ラック保持部４１内に戻されないようにラック１０１の移動を規制するように構成されている。
【００３７】
分析後ラック保持部４２は、ラック搬送部４３の近傍に規制部４２１（図４参照）を有し、一度分析後ラック保持部４２内に移動されたラック１０１がラック搬送部４３側に戻されないようにラック１０１の移動を規制するように構成されている。
【００３８】
ラック搬送部４３は、図３に示すように、第１測定ユニット２に検体を提供するための第１提供位置４３ａ、および、第２測定ユニット３に検体を提供するための第２提供位置４３ｂに検体が搬送されるようにラック１０１を搬送可能に構成されている。さらに、ラック搬送部４３は、有無検知センサ４５が検体を収容するサンプル容器１００の有無を確認するための検体有無確認位置４３ｃ、および、バーコード読取部４４が検体を収容するサンプル容器１００のバーコード１００ａを読み取るための読取位置４３ｄまで検体が搬送されるようにラック１０１を搬送可能に構成されている。
【００３９】
また、ラック搬送部４３は、それぞれ独立して動くことが可能な第１ベルト４３１および第２ベルト４３２の２つのベルトを有している。また、第１ベルト４３１および第２ベルト４３２の矢印Ｙ方向の幅ｂ１およびｂ２（図６参照）は、それぞれラック１０１の矢印Ｙ方向の幅Ｂの半分以下の大きさである。これにより、ラック搬送部４３がラック１０１を搬送する際に、第１ベルト４３１および第２ベルト４３２は、ともにラック１０１の幅Ｂからはみ出ないように並列に配置されている。また、図７および図８に示すように、第１ベルト４３１および第２ベルト４３２は、環状に形成されており、それぞれローラ４３１ａ〜４３１ｃおよびローラ４３２ａ〜４３２ｃを取り囲むように配置されている。また、第１ベルト４３１および第２ベルト４３２の外周部には、ラック１０１の矢印Ｘ方向の幅Ｗよりも若干（たとえば、約１ｍｍ）大きい内幅ｗ１（図７参照）およびｗ２（図８参照）を有するように突起片４３１ｄおよび４３２ｄがそれぞれ２つずつ形成されている。第１ベルト４３１は、突起片４３１ｄの内側にラック１０１を保持した状態において、ステッピングモータ４３１ｅ（図４参照）によりローラ４３１ａ〜４３１ｃの外周を移動されることによって、ラック１０１を矢印Ｘ方向に移動するように構成されている。また、第２ベルト４３２は、突起片４３２ｄの内側にラック１０１を保持した状態において、ステッピングモータ４３２ｅ（図４参照）によりローラ４３２ａ〜４３２ｃの外周を移動されることによって、ラック１０１を矢印Ｘ方向に移動するように構成されている。また、第１ベルト４３１および第２ベルト４３２は、それぞれ、互いに独立してラック１０１を移動することが可能なように構成されている。
【００４０】
バーコード読取部４４は、図５に示したサンプル容器１００のバーコード１００ａを読み取るとともに、ラック１０１に貼付されたバーコード１０１ａを読み取るように構成されている。また、バーコード読取部４４は、図示しない回転装置によって対象のサンプル容器１００をラック１０１に収容したまま水平方向に回転させながらサンプル容器１００のバーコード１００ａを読み取るように構成されている。これにより、サンプル容器１００のバーコード１００ａがバーコード読取部４４に対して反対側に貼付されている場合にも、サンプル容器１００を回転させることによって、バーコード１００ａをバーコード読取部４４側に向けることが可能である。また、ラック１０１のバーコード１０１ａは、各ラックに固有に付されたものであり、検体の分析結果の管理などに使用される。
【００４１】
有無検知センサ４５は、接触型のセンサであり、のれん形状の接触片４５１（図４参照）、光を出射する発光素子（図示せず）および受光素子（図示せず）を有している。有無検知センサ４５は、接触片４５１が検知対象の被検知物に当接されることにより屈曲され、その結果、発光素子から出射された光が接触片４５１により反射されて受光素子に入射されるように構成されている。これにより、有無検知センサ４５の下方をラック１０１に収容された検知対象のサンプル容器１００が通過する際に、接触片４５１がサンプル容器１００により屈曲されて、サンプル容器１００が有ることを検知することが可能である。
【００４２】
ラック送出部４６は、ラック搬送部４３を挟んで分析後ラック保持部４２に対向するように配置されており、矢印Ｙ方向に水平に直線移動するように構成されている。これにより、分析後ラック保持部４２とラック送出部４６との間（以下、ラック送出位置という）にラック１０１が搬送された場合に、ラック送出部４６を分析後ラック保持部４２側に移動することによって、ラック１０１を押圧して分析後ラック保持部４２内に移動することが可能である。
【００４３】
制御装置５は、図１、図２および図９に示すように、パーソナルコンピュータ（ＰＣ）などからなり、ＣＰＵ、ＲＯＭ、ＲＡＭなどからなる制御部５１と、表示部５２と、入力デバイス５３とを含んでいる。また、表示部５２は、第１測定ユニット２および第２測定ユニット３から送信されたデジタル信号のデータを分析して得られた分析結果などを表示するために設けられている。また、表示部５２は、他の検体に優先して測定を行う必要がある優先検体の測定において、ユーザが検体を識別するための検体識別番号の入力や、測定項目の設定などを行うための優先検体測定指示画面５２０（図１０参照）を表示するように構成されている。
【００４４】
次に、制御装置５の構成について説明する。制御装置５は、図９に示すように、制御部５１と、表示部５２と、入力デバイス５３とから主として構成されたコンピュータ５００によって構成されている。制御部５１は、ＣＰＵ５１ａと、ＲＯＭ５１ｂと、ＲＡＭ５１ｃと、ハードディスク５１ｄと、読出装置５１ｅと、入出力インタフェース５１ｆと、通信インタフェース５１ｇと、画像出力インタフェース５１ｈとから主として構成されている。ＣＰＵ５１ａ、ＲＯＭ５１ｂ、ＲＡＭ５１ｃ、ハードディスク５１ｄ、読出装置５１ｅ、入出力インタフェース５１ｆ、通信インタフェース５１ｇ、および画像出力インタフェース５１ｈは、バス５１ｉによって接続されている。
【００４５】
ＣＰＵ５１ａは、ＲＯＭ５１ｂに記憶されているコンピュータプログラムおよびＲＡＭ５１ｃにロードされたコンピュータプログラムを実行することが可能である。そして、後述するようなアプリケーションプログラム５４ａ〜５４ｃをＣＰＵ５１ａが実行することにより、コンピュータ５００が制御装置５として機能する。
【００４６】
ＲＯＭ５１ｂは、マスクＲＯＭ、ＰＲＯＭ、ＥＰＲＯＭ、ＥＥＰＲＯＭなどによって構成されており、ＣＰＵ５１ａに実行されるコンピュータプログラムおよびこれに用いるデータなどが記録されている。
【００４７】
ＲＡＭ５１ｃは、ＳＲＡＭまたはＤＲＡＭなどによって構成されている。ＲＡＭ５１ｃは、ＲＯＭ５１ｂおよびハードディスク５１ｄに記録されているコンピュータプログラムの読み出しに用いられる。また、これらのコンピュータプログラムを実行するときに、ＣＰＵ５１ａの作業領域として利用される。
【００４８】
ハードディスク５１ｄは、オペレーティングシステムおよびアプリケーションプログラムなど、ＣＰＵ５１ａに実行させるための種々のコンピュータプログラムおよびそのコンピュータプログラムの実行に用いるデータがインストールされている。第１測定ユニット２用の測定処理プログラム５４ａ、第２測定ユニット３用の測定処理プログラム５４ｂおよび検体搬送装置４用の測定処理プログラム５４ｃも、このハードディスク５１ｄにインストールされている。これらのアプリケーションプログラム５４ａ〜５４ｃがＣＰＵ５１ａに実行されることによって、第１測定ユニット２、第２測定ユニット３および検体搬送装置４の各部の動作が制御される。また、測定結果データベース５４ｄもインストールされている。
【００４９】
読出装置５１ｅは、フレキシブルディスクドライブ、ＣＤ−ＲＯＭドライブ、またはＤＶＤ−ＲＯＭドライブなどによって構成されており、可搬型記録媒体５４に記録されたコンピュータプログラムまたはデータを読み出すことができる。また、可搬型記録媒体５４には、アプリケーションプログラム５４ａ〜５４ｃが格納されており、コンピュータ５００がその可搬型記録媒体５４からアプリケーションプログラム５４ａ〜５４ｃを読み出し、そのアプリケーションプログラム５４ａ〜５４ｃをハードディスク５１ｄにインストールすることが可能である。
【００５０】
なお、上記アプリケーションプログラム５４ａ〜５４ｃは、可搬型記録媒体５４によって提供されるのみならず、電気通信回線（有線、無線を問わない）によってコンピュータ５００と通信可能に接続された外部の機器から上記電気通信回線を通じて提供することも可能である。たとえば、上記アプリケーションプログラム５４ａ〜５４ｃがインターネット上のサーバコンピュータのハードディスク内に格納されており、このサーバコンピュータにコンピュータ５００がアクセスして、そのアプリケーションプログラム５４ａ〜５４ｃをダウンロードし、これをハードディスク５１ｄにインストールすることも可能である。
【００５１】
また、ハードディスク５１ｄには、たとえば、米マイクロソフト社が製造販売するＷｉｎｄｏｗｓ（登録商標）などのグラフィカルユーザインタフェース環境を提供するオペレーティングシステムがインストールされている。以下の説明においては、アプリケーションプログラム５４ａ〜５４ｃは上記オペレーティングシステム上で動作するものとしている。
【００５２】
入出力インタフェース５１ｆは、たとえば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、およびＤ／Ａ変換器、Ａ／Ｄ変換器などからなるアナログインタフェースなどから構成されている。入出力インタフェース５１ｆには、入力デバイス５３が接続されており、ユーザがその入力デバイス５３を使用することにより、コンピュータ５００にデータを入力することが可能である。
【００５３】
通信インタフェース５１ｇは、たとえば、Ｅｔｈｅｒｎｅｔ（登録商標）インタフェースである。コンピュータ５００は、その通信インタフェース５１ｇにより、所定の通信プロトコルを使用して第１測定ユニット２、第２測定ユニット３、検体搬送装置４およびホストコンピュータ６との間でデータの送受信が可能である。
【００５４】
画像出力インタフェース５１ｈは、ＬＣＤまたはＣＲＴなどで構成された表示部５２に接続されており、ＣＰＵ５１ａから与えられた画像データに応じた映像信号を表示部５２に出力するようになっている。表示部５２は、入力された映像信号にしたがって、画像（画面）を表示する。
【００５５】
制御部５１は、上記した構成により、第１測定ユニット２および第２測定ユニット３から送信された測定結果を用いて分析対象の成分を解析するとともに、分析結果（赤血球数、血小板数、ヘモグロビン量、白血球数など）を取得するように構成されている。
【００５６】
ラック１０１には、図５に示すように、１０本のサンプル容器１００を一列に収容可能なように１０個の容器収容部１０１ｂが形成されている。また、各容器収容部１０１ｂには、それぞれ収容したサンプル容器１００のバーコード１００ａが視認可能なように開口部１０１ｃが設けられている。
【００５７】
図１１は、図１に示した第１実施形態による血液分析装置の測定処理プログラムによる測定処理動作を説明するためのフロー図である。次に、図１１を参照して、第１実施形態による血液分析装置１の測定処理プログラム５４ａおよび５４ｂによる測定処理動作を説明する。なお、第１測定ユニット２および第２測定ユニット３では、それぞれ同様に分析対象の成分が測定されるので、以下では代表的な例として、第１測定ユニット２により分析対象の成分を測定する場合について説明する。
【００５８】
まず、ステップＳ１において、吸引位置（図３参照）まで搬送されたサンプル容器１００から検体吸引部２１により検体の吸引が行われる。そして、ステップＳ２において、吸引した検体から試料調製部２２により検出用試料が調製され、ステップＳ３で、検出用試料から分析対象の成分が検出部２３により検出される。そして、ステップＳ４で、測定データが、第１測定ユニット２から制御装置５に送信される。その後、ステップＳ５において、第１測定ユニット２から送信される測定結果に基づいて、制御部５１により分析対象の成分が解析される。このステップＳ５により、検体の分析が完了され、動作が終了される。
【００５９】
図１２は、図１に示した第１実施形態による血液分析装置の第１測定ユニットおよび第２測定ユニットの状態遷移を説明するための状態遷移図である。次に、図１２を参照して、第１実施形態による血液分析装置１の第１測定ユニット２および第２測定ユニット３の状態遷移について説明する。なお、第１測定ユニット２および第２測定ユニット３では、それぞれ同様に状態遷移するので、以下では代表的な例として、第１測定ユニット２による状態遷移について説明する。
【００６０】
ここで、第１実施形態では、第１測定ユニット２の状態は、電源がオン状態にされることによって、非起動状態（開始）からサンプラモードスタンバイ状態２ａに遷移される。また、第１測定ユニット２は、サンプラモードスタンバイ状態２ａにおいて、ユーザによりサンプラ測定開始指示がなされると、サンプラモード測定中状態２ｂに遷移される。このサンプラモード測定中状態２ｂにおいて、第１測定ユニット２により、図１１に示す測定処理動作が行われる。サンプラモード測定中状態２ｂにおいて、検体の測定が終了すると、第１測定ユニット２は、サンプラモードスタンバイ状態２ａに戻される。また、サンプラモードスタンバイ状態２ａにおいて、電源がオフ状態にされると、第１測定ユニット２は、非起動状態（終了）に遷移される。
【００６１】
また、第１実施形態では、サンプラモードスタンバイ状態２ａおよびサンプラモード測定中状態２ｂにおいて、ユーザにより、検体セット部開閉ボタン２６が押下されると、第１測定ユニット２は、優先検体測定モードスタンバイ状態２ｃに遷移される。第１測定ユニット２が優先検体測定モードスタンバイ状態２ｃに遷移されると、第１測定ユニット２への検体の搬送は保留される。すなわち、この場合には、検体搬送装置４は、第１提供位置４３ａには検体を搬送せずに、第２提供位置４３ｂにのみ検体を搬送する。なお、第１測定ユニット２および第２測定ユニット３の両方が優先検体測定モードスタンバイ状態２ｃに遷移された場合には、第１提供位置４３ａおよび第２提供位置４３ｂの両方への検体の搬送が保留される。
【００６２】
そして、優先検体測定モードスタンバイ状態２ｃにおいて、優先検体測定開始ボタン２７が押下されると、第１測定ユニット２は、優先検体測定モード測定中状態２ｄに遷移される。そして、優先検体の測定が終了すると、第１測定ユニット２は、優先検体測定モードスタンバイ状態２ｃに戻される。また、全ての優先検体の測定が終了した場合には、ユーザが検体セット部開閉ボタン２６を押下することによって、第１測定ユニット２は、サンプラモードスタンバイ状態２ａに遷移される。
【００６３】
また、サンプラモードスタンバイ状態２ａ、サンプラモード測定中状態２ｂ、優先検体測定モードスタンバイ状態２ｃおよび優先検体測定モード測定中状態２ｄそれぞれの状態において、エラーが発生した場合には、第１測定ユニット２は、中止・中断発生状態２ｅに遷移される。そして、エラーが解消した場合には、第１測定ユニット２は、各状態のモードのスタンバイ状態に戻される。具体的には、サンプラモードスタンバイ状態２ａおよびサンプラモード測定中状態２ｂにおいて発生したエラーが解消した場合には、第１測定ユニット２は、サンプラモードスタンバイ状態２ａに戻される。一方、優先検体測定モードスタンバイ状態２ｃおよび優先検体測定モード測定中状態２ｄにおいて発生したエラーが解消した場合には、第１測定ユニット２は、優先検体測定モードスタンバイ状態２ｃに戻される。
【００６４】
また、第１測定ユニット２が状態遷移する際には、第１測定ユニット２がどの状態に遷移するかを知らせる状態通知が第１測定ユニット２から制御装置５に送信される。具体的には、第１測定ユニット２が、サンプラモード測定中状態２ｂ、優先検体測定モードスタンバイ状態２ｃおよび中止・中断発生状態２ｅからサンプラモードスタンバイ状態２ａに遷移する場合には、第１測定ユニット２がサンプラモードスタンバイ状態２ａに遷移することを知らせる状態通知が第１測定ユニット２から制御装置５に送信される。サンプラモードスタンバイ状態２ａ以外の他の状態に遷移した場合にも、第１測定ユニット２が各状態であることを知らせる状態通知が第１測定ユニット２から制御装置５に送信される。さらに、中止・中断発生状態２ｅから各状態に戻される場合には、第１測定ユニット２がどの状態に遷移するかを知らせる状態通知が第１測定ユニット２から制御装置５に送信されるとともに、エラーが解消したことを知らせる通知も合わせて通知される。
【００６５】
図１３は、図１に示した第１実施形態による血液分析装置の検体搬送装置の状態遷移を説明するための状態遷移図である。図１４は、図１に示した第１実施形態による血液分析装置の検体搬送装置の次の動作を決定する処理を説明するためのフロー図である。また、図１５および図１６は、図１に示した第１実施形態による血液分析装置の詳細な構成を説明するための図である。まず、図１３を参照して、第１実施形態による血液分析装置１の検体搬送装置４の状態遷移について説明する。
【００６６】
第１実施形態では、ユーザによりサンプラ測定開始指示がなされると、検体搬送装置４の状態が、次の動作の決定処理中状態４ａとなる。この状態は、検体搬送装置４が、コマンドキューに登録された動作を実行するために待機している状態である。ここで、第１実施形態において、コマンドキューとは、検体搬送装置４への動作指示が登録されたデータ構造であり、検体搬送装置４は、コマンドキューに登録された動作を実行するように制御装置５のＣＰＵ５１ａにより制御される。なお、このコマンドキューは、制御装置５のＲＡＭ５１ｃまたはハードディスク５１ｄに記憶される。
【００６７】
ここで、図１４〜図１６を参照して、第１実施形態による血液分析装置１の検体搬送装置４が、次の動作の決定処理中状態４ａにある場合に、検体搬送装置４が実行する次の動作が決定される処理について説明する。
【００６８】
まず、図１４に示すステップＳ１１において、ＣＰＵ５１ａにより、イベントの通知が待たれる。ここで、第１実施形態では、イベントの通知とは、図１５に示す１１種類のイベントの通知のことであり、所定の動作が完了したことを知らせる通知や、測定ユニット側の状態を知らせる状態通知などが含まれる。具体的には、ラック１０１が、検体搬送装置４の分析前ラック保持部４１からラック搬送部４３上に送り込まれた場合には、ラック送り込み完了通知が検体搬送装置４から制御装置５に送信される。また、ラック搬送部４３上のラック１０１が、ラック送出部４６により分析後ラック保持部４２に送り出された場合には、ラック送り出し完了通知が検体搬送装置４から制御装置５に送信される。また、検体搬送装置４の有無検知センサ４５によりサンプル容器１００の有無が検知された場合には、試験管有無確認完了通知がなされる。また、バーコード読取部４４によりサンプル容器１００のバーコード１００ａが読み取られ、測定オーダーが割り当てられた場合には、検体ＩＤ・測定オーダー割当完了通知がなされる。また、第１測定ユニット側試験管取り込み完了通知、第２測定ユニット側試験管取り込み完了通知、第１測定ユニット側試験管取り出し完了通知および第２測定ユニット側試験管取り出し完了通知は、第１測定ユニット２および第２測定ユニット３において各動作が完了した際に、第１測定ユニット２および第２測定ユニット３から制御装置５に送信される。さらに、第１測定ユニット２および第２測定ユニット３からは、第１測定ユニット２および第２測定ユニット３の状態通知に加えて、第１測定ユニット２および第２測定ユニット３からサンプル容器１００を取り出すことが可能であることを知らせる試験管取り出し要求通知、および、次の新たな検体の吸引を行うことが可能な状態であることを知らせる次検体吸引可通知も制御装置５に送信される。
【００６９】
そして、ステップＳ１２において、ＣＰＵ５１ａにより、上記した１１種類のイベント通知のうちのいずれかのイベント通知を着信したか否かが判断され、着信するまでイベント通知待ち状態が継続される。いずれかのイベント通知を着信した場合には、ステップＳ１３において、ＣＰＵ５１ａにより、コマンドキューに登録されている動作のうち、実行が行われないように保留状態に設定されている動作について、実行の保留が解除される。
【００７０】
ここで、実行の保留について説明する。第１実施形態では、コマンドキューに登録される各動作には、図１６に示すように、優先順位が設けられており、原則、動作実行時においてコマンドキューに登録されている動作のうち優先度の高い動作から実行するようにＣＰＵ５１ａにより検体搬送装置４が制御される。しかし、たとえば、第１測定ユニット２および第２測定ユニット３の内部に測定中の他の検体が存在し、次の新たな検体を取り込むことができないような場合など、「第１測定ユニットに試験管取り込み」および「第２測定ユニットに試験管取り込み」の２つの動作については、直ちに実行することができない場合がある。このような場合には、後述するように、「第１測定ユニットに試験管取り込み」および「第２測定ユニットに試験管取り込み」の動作をスキップして次に優先度の高い動作が先に実行されるように、「第１測定ユニットに試験管取り込み」および「第２測定ユニットに試験管取り込み」の動作の実行が、ＣＰＵ５１ａにより保留状態に設定される。これにより、第１実施形態による血液分析装置１では、「第１測定ユニットに試験管取り込み」および「第２測定ユニットに試験管取り込み」の動作を実行することができない場合にも、「第１測定ユニットに試験管取り込み」および「第２測定ユニットに試験管取り込み」以外の他の動作が先に実行されるので、検体の処理をより迅速に行うことが可能である。
【００７１】
ステップＳ１４において、ＣＰＵ５１ａにより、現状でコマンドキューに登録されている動作のうち、最も優先度の高い動作が検索される。そして、ステップＳ１５において、その検索された最も優先度の高い動作が、「第１測定ユニットに試験管取り込み」または「第２測定ユニットに試験管取り込み」のいずれかの動作であるか否かが判断され、「第１測定ユニットに試験管取り込み」または「第２測定ユニットに試験管取り込み」のいずれの動作でもない場合には、ステップＳ１６において、検索された最も優先度の高い動作が実行される。この際、ラック送り出し動作が実行される場合には、ＣＰＵ５１ａにより、ラック搬送部４３上のラック１０１を分析後ラック保持部４２に送り出すようにラック送出部４６が制御され、ラック送り込み動作が実行される場合には、ＣＰＵ５１ａにより、分析前ラック保持部４１のラック１０１をラック搬送部４３上に送り込むようにラック送込部４１１が制御される。また、第１測定ユニットから試験管取り出し動作または第２測定ユニットから試験管取り出し動作が実行される場合には、ＣＰＵ５１ａにより、第１提供位置４３ａまたは第２提供位置４３ｂのいずれか対応する方に、取り出されるサンプル容器１００の容器収容部１０１ｂがくるようにラック１０１を搬送するようにラック搬送部４３が制御される。また、試験管有無確認動作が実行される場合には、ＣＰＵ５１ａにより、ラック１０１に収容された未確認のサンプル容器１００が検体有無確認位置４３ｃまでくるようにラック１０１を搬送するようにラック搬送部４３が制御される。また、検体ＩＤ・測定オーダー割当動作が実行される場合には、ラック１０１に収容され、まだ測定オーダーが割り当てられていないサンプル容器１００が読取位置４３ｄまでくるように、ラック１０１を搬送するようにラック搬送部４３が制御される。その後、動作が終了される。
【００７２】
一方、「第１測定ユニットに試験管取り込み」または「第２測定ユニットに試験管取り込み」のいずれかの動作である場合には、ステップＳ１７において、測定オーダーと第１測定ユニット２および第２測定ユニット３の状態に基づいて、ＣＰＵ５１ａにより、「第１測定ユニットに試験管取り込み」または「第２測定ユニットに試験管取り込み」のうちの対応する動作を行うことが可能か否かが判断される。具体的には、ＣＰＵ５１ａは、各測定ユニットから送信される状態通知、試験管取り出し要求通知および次検体吸引可通知に基づいて、第１測定ユニット２または第２測定ユニット３のうちの対応する方の測定ユニットが試験管を取り込むことが可能な状態であるか否かを判断する。たとえば、第１測定ユニット２から次検体吸引可通知が送信されていない場合には、ＣＰＵ５１ａは、第１測定ユニット２が試験管を取り込むことが可能な状態ではないと判断する。取り込みが可能な場合には、ステップＳ１８において、「第１測定ユニットに試験管取り込み」または「第２測定ユニットに試験管取り込み」のうちの対応する動作が実行される。この際、ＣＰＵ５１ａにより、第１提供位置４３ａまたは第２提供位置４３ｂのいずれか対応する方に、取り出されるサンプル容器１００の容器収容部１０１ｂがくるようにラック１０１を搬送するようにラック搬送部４３が制御される。その後、処理が終了される。また、可能でない場合には、ステップＳ１９において、ＣＰＵ５１ａにより、「第１測定ユニットに試験管取り込み」または「第２測定ユニットに試験管取り込み」のうちの対応する動作の実行が保留状態に設定される。
【００７３】
このように、検体搬送装置４が次に実行する動作は、検体搬送装置４が次の動作を実行する直前の、第１測定ユニット２および第２測定ユニット３それぞれの最新の状態に基づいて、ＣＰＵ５１ａにより決定される。これにより、検体搬送装置４が第１測定ユニット２および第２測定ユニット３それぞれの最新の状態に基づいた効率のよい搬送を行うことが可能であるので、検体の処理を迅速に行うことが可能である。
【００７４】
検体搬送装置４は、図１３に示す次の動作の決定処理中状態４ａにおいて、上記した図１４の処理により次の動作が実行されると、各動作に対応する状態４ｂ〜４ｉに遷移される。具体的には、検体搬送装置４は、次の動作の決定処理中状態４ａに加えて、ラック送り込み中状態４ｂ、試験管有無確認中状態４ｃ、検体ＩＤ・測定オーダー割り当て中状態４ｄ、第１測定ユニットへ試験管を取り込み中状態４ｅ、第２測定ユニットへ試験管を取り込み中状態４ｆ、第１測定ユニットから試験管を取り出し中状態４ｇ、第２測定ユニットから試験管を取り出し中状態４ｈおよびラック送り出し中状態４ｉの９種類の状態への遷移が可能である。
【００７５】
また、図１３では、「次；」として、次の動作状態において実行される動作を示している。さらに、図１３では、「Ｉ；」として、各動作状態から次の動作の決定処理中状態４ａに遷移する際に、制御装置５に通知されるイベントを示すとともに、「Ｃ；」として、コマンドキューに登録される動作を示している。たとえば、検体搬送装置４がラック送り込み中状態４ｂである場合には、「次；」として示したラック送り込み動作が実行される。また、検体搬送装置４が、ラック送り込み中状態４ｂから次の動作の決定処理中状態４ａに遷移する際には、「Ｉ；」として示したラック送り込み完了を知らせるイベント通知が制御装置５に送信されるとともに、「Ｃ；」として示した試験管有無確認の動作が、ＣＰＵ５１ａによりコマンドキューに登録される。図１５に示した他のイベントについても、ラック送り込み完了通知と同様に、通知が行われる。また、図１６に示した他の動作についても、試験管有無確認の動作と同様に、コマンドキューへの登録がなされる。なお、「第１測定ユニットから試験管取り出し」および「第２測定ユニットから試験管取り出し」の２つの動作については、第１測定ユニット２および第２測定ユニット３から送信される試験管取り出し要求に基づいて、コマンドキューに登録される。
【００７６】
また、検体搬送装置４が第１測定ユニットへ試験管を取り込み中状態４ｅにある場合において、第１測定ユニット２に取り込むサンプル容器１００を所定の位置まで搬送した際に、所定の位置まで搬送が完了したことを知らせる取り込み要求通知が第１測定ユニット２に送信される。この通知に基づいて、ＣＰＵ５１ａは、ハンド部２５１によりサンプル容器１００を把持するように第１測定ユニット２を制御することが可能である。なお、第２測定ユニット３に対しても、第１測定ユニット２と同様に、取り込み要求通知がなされる。
【００７７】
図１７は、図１に示した第１実施形態による血液分析装置の優先検体測定時の動作を説明するためのフロー図である。次に、図１、図２、図１０および図１７を参照して、第１実施形態による血液分析装置１の優先検体測定時の動作について説明する。なお、第１実施形態では、第１測定ユニット２および第２測定ユニット３は、それぞれ互いに独立して優先検体の測定を行うことが可能であり、第１測定ユニット２および第２測定ユニット３における優先検体測定時の動作は同様である。したがって、ここでは、代表的な例として第１測定ユニット２における優先検体測定時の動作について説明する。
【００７８】
まず、図１７に示すステップＳ１０１において、ＣＰＵ５１ａにより、検体セット部開閉ボタン２６（図１および図２参照）が押下されたか否かが判断され、押下されるまでこの判断が繰り返される。押下された場合には、ステップＳ１０２において、検体セット部２５５ａ（図２参照）が、取り込み口２４から外側に突出するように出される。そして、ステップＳ１０３において、表示部５２に優先検体測定指示画面５２０（図１０参照）が表示される。ステップＳ１０４において、ユーザが検体識別番号の入力や、測定項目の設定などを行った後、優先検体測定指示画面５２０上に表示されたＯＫボタン５２０ａが押下されたか否かがＣＰＵ５１ａにより判断される。この判断はＯＫボタン５２０ａが押下されるまで継続され、押下された場合には、ステップＳ１０５において、ユーザが優先検体を収容したサンプル容器１００を検体セット部２５５ａにセットした後、優先検体測定開始ボタン２７（図１および図２参照）が押下されたか否かがＣＰＵ５１ａにより判断される。押下されていない場合には、この判断が繰り返され、押下された場合には、ステップＳ１０６において、検体セット部２５５ａが、取り込み口２４から第１測定ユニット２の内側に戻される。これにより、優先検体が第１測定ユニット２の内側に取り込まれる。
【００７９】
そして、ステップＳ１０７において、優先検体の測定が行われ、ステップＳ１０８において、測定が終了したか否かが判断される。この判断は、測定が終了するまで繰り返され、測定が終了した場合には、ステップＳ１０９において、検体セット部２５５ａが取り込み口２４から外側に出される。これにより、測定が終了された優先検体のサンプル容器１００が、第１測定ユニット２の外側に取り出し可能に排出される。その後、ステップＳ１１０において、優先検体測定開始ボタン２７が押下されたか否かが判断される。
【００８０】
ここで、第１実施形態では、ユーザは、測定が終了された優先検体のサンプル容器１００を検体セット部２５５ａから取り除いた後、次の新たな優先検体を収容したサンプル容器１００を検体セット部２５５ａにセットし、優先検体測定開始ボタン２７を押下することによって、連続して優先検体の測定を行うことが可能である。ユーザが次の新たな優先検体を収容したサンプル容器１００を検体セット部２５５ａにセットし、優先検体測定開始ボタン２７を押下した場合には、動作はステップＳ１０６に移行され、連続して次の優先検体の測定が行われる。この場合、ユーザは検体識別番号の入力や、測定項目の設定などを行わなくても、ＣＰＵ５１ａにより自動的に、連続した識別番号が割り当てられるとともに、一度設定された測定項目と同じ項目で測定が行われる。
【００８１】
一方、優先検体測定開始ボタン２７が押下されない場合には、ステップＳ１１１において、ＣＰＵ５１ａにより、検体セット部開閉ボタン２６が押下されたか否かが判断される。ユーザは、検体セット部開閉ボタン２６を押下することによって、優先検体の測定を終了させることが可能である。検体セット部開閉ボタン２６が押下されない場合には、優先検体測定開始ボタン２７または検体セット部開閉ボタン２６のいずれかが押下されるまで、これらの判断が繰り返される。そして、検体セット部開閉ボタン２６が押下されると、ステップＳ１１２において、検体セット部２５５ａが、取り込み口２４から第１測定ユニット２の内側に戻され、優先検体の測定動作が終了される。
【００８２】
第１実施形態では、上記のように、他の検体に優先して優先検体を測定することを指示する検体セット部開閉ボタン２６および３６を設けることによって、ユーザが検体セット部開閉ボタン２６または３６により優先検体の測定を指示する場合に、優先検体の測定が他の検体に優先して行われるので、他の検体よりも優先して処理する必要のある優先検体の処理を迅速に行うことができる。また、第１実施形態による血液分析装置１では、優先検体を第１測定ユニット２または第２測定ユニット３のいずれかで測定することの指示が検体セット部開閉ボタン２６または３６によりなされたとき、それぞれ第１提供位置４３ａまたは第２提供位置４３ｂへの検体の搬送を保留し、他の動作を実行するように検体搬送装置４を制御するＣＰＵ５１ａを設けることによって、たとえば、他の検体よりも優先して処理する必要のある優先検体を第２測定ユニット３で測定することが指示された場合にも、優先検体の測定を第２測定ユニット３で行いながら、優先検体の測定と並行して他の検体の処理を行うことができる。これにより、他の検体の処理を保留する必要がないので、他の検体よりも優先して処理する必要のある優先検体の数が多い場合にも、他の検体の処理が大幅に遅れるのを抑制することができる。さらに、他の検体の搬送が保留された第２測定ユニット３に、ユーザが優先検体を直接提供すれば、検体搬送装置４が優先検体を搬送する必要がなくなるので、優先検体の搬送時間分だけ、他の検体よりも優先して処理する必要のある優先検体の処理をより迅速に行うことができる。したがって、第１実施形態による血液分析装置１では、装置の大型化を回避しながら、他の検体よりも優先して処理する必要のある優先検体以外の他の検体の処理を大幅に遅らせることなく、優先検体の処理を迅速に行うことができる。
【００８３】
また、第１実施形態では、優先検体の測定を指示するための検体セット部開閉ボタン２６および３６を、それぞれ第１測定ユニット２および第２測定ユニット３に設けることによって、ユーザは、検体セット部開閉ボタン２６または３６を押下することにより、容易に、優先検体の測定を指示することができる。
【００８４】
また、第１実施形態では、ユーザは、測定が終了された優先検体のサンプル容器１００を検体セット部２５５ａから取り除いた後、次の新たな優先検体を収容したサンプル容器１００を検体セット部２５５ａにセットし、優先検体測定開始ボタン２７を押下することによって、連続して優先検体の測定を行うことが可能であるので、優先検体の測定を行う際に、ユーザの負担を軽減することができる。
【００８５】
また、第１実施形態では、検体搬送装置４が次に実行する動作を、検体搬送装置４が次の動作を実行する直前の、第１測定ユニット２、第２測定ユニット３および検体搬送装置４それぞれの最新の状態に基づいて、ＣＰＵ５１ａにより決定する例を示したが、本発明はこれに限らず、ユーザにより優先検体を測定することが指示されなければ、複数の検体を、第１測定ユニット２および第２測定ユニット３に交互に搬送するように検体搬送装置４をＣＰＵ５１ａにより制御してもよい。これにより、他の検体よりも優先して処理する必要のある優先検体がない場合に、第１測定ユニット２および第２測定ユニット３それぞれに効率よく他の検体を搬送することができるので、検体の処理を迅速に行うことができる。
【００８６】
図１８は、図１に示した第１実施形態による血液分析装置の変形例における検体搬送装置の動作を説明するためのフロー図である。次に、図３および図１８を参照して、第１実施形態による血液分析装置１の変形例における検体搬送装置４の動作について説明する。この変形例では、制御装置５にインストールされているサンプラ動作処理プログラム５４ｃが、上記の第１実施形態による血液分析装置とは異なる。この変形例のサンプラ動作処理プログラム５４ｃは、検体搬送装置４をシーケンシャルに制御する。
【００８７】
まず、ユーザによりサンプラ測定開始指示がなされると、ステップＳ２１において、分析前ラック保持部４１（図３参照）からラック搬送部４３（図３参照）にラック１０１が送り込まれる。ステップＳ２２において、ユーザから優先検体測定の指示がなされたか否かが判断される。具体的には、制御装置５のＣＰＵ５１ａにより、ユーザが検体セット部開閉ボタン２６または３６を押下したか否かが判断される。指示がない場合には、ステップＳ２３において、ラック搬送部４３により、Ｎ本目のサンプル容器１００の検体が第１測定ユニット２に搬送され、ステップＳ２４において、再度、ＣＰＵ５１ａにより、ユーザから優先検体測定の指示がなされたか否かが判断される。ここで、Ｎは、１から始まる実数である。したがって、初めてステップＳ２３の動作を行う際には、Ｎ＝１であり、１本目のサンプル容器１００の検体が第１測定ユニット２に搬送される。
【００８８】
優先検体測定の指示があった場合には、動作は、後述するステップＳ４６に移行される。指示がない場合には、ステップＳ２５において、ラック搬送部４３により、（Ｎ＋１）本目のサンプル容器１００の検体が第２測定ユニット３に搬送される。そして、ステップＳ２６において、ユーザから優先検体測定の指示がなされたか否かが判断され、指示がない場合には、ステップＳ２７において、Ｎ＝９であるか否かが判断される。Ｎ＝９でない場合には、ステップＳ２８において、Ｎが（Ｎ＋２）になるように変更される。すなわち、ステップＳ２８に移行される直前にＮ＝１であった場合には、ステップＳ２８において、ＮはＮ＝３になるように変更される。この処理は、第１測定ユニット２および第２測定ユニット３の２つの測定ユニットに交互に検体を搬送するように、ＣＰＵ５１ａが検体搬送装置４を制御するために行われる。そして、動作は、ステップＳ２３に移行される。ステップＳ２７において、Ｎ＝９の場合には、ステップＳ３６において、ラック１０１がラック搬送部４３上から分析後ラック保持部４２に送り出され、動作は終了される。また、ステップＳ２６において、優先検体測定の指示があった場合には、動作は、ステップＳ４５に移行され、Ｎが（Ｎ＋２）に変更される。
【００８９】
ステップＳ２２において、優先検体測定の指示があった場合には、ステップＳ２９において、優先検体測定の指示が第１測定ユニット２側で行われたか否かが判断される。第１測定ユニット２側でない場合には、動作は、後述するステップＳ５２に移行される。第１測定ユニット２側である場合には、ステップＳ３０において、Ｎ本目のサンプル容器１００の検体が第２測定ユニット３に搬送される。そして、ステップＳ３１において、優先検体測定終了の指示があったか否かが判断され、指示がない場合には、ステップＳ３２において、（Ｎ＋１）本目のサンプル容器１００の検体も第２測定ユニット３に搬送される。その後、ステップＳ３３において、優先検体測定終了の指示があったか否かが判断され、指示がない場合には、ステップＳ３４において、Ｎ＝９であるか否かが判断される。Ｎ＝９である場合には、ＣＰＵ５１ａにより、検体搬送装置４がラック１０１に収容された１０本目のサンプル容器１００を第２測定ユニット３に搬送したと判断され、動作はステップＳ３６に移行される。Ｎ＝９でない場合には、ＣＰＵ５１ａにより、検体搬送装置４がラック１０１に収容された１０本のサンプル容器１００の全てを測定ユニットに搬送し終えていないと判断され、ステップＳ３５において、Ｎが（Ｎ＋２）に変更される。そして、動作はステップＳ３０に戻される。ステップＳ３３において、指示があった場合には、ステップＳ３７において、Ｎが（Ｎ＋２）に変更され、動作はステップＳ２３に移行される。
【００９０】
また、ステップＳ３１において、優先検体測定終了の指示があった場合には、ステップＳ３８において、（Ｎ＋１）本目のサンプル容器１００の検体が第１測定ユニット２に搬送され、ステップＳ３９において、優先検体測定の指示があったか否かが判断される。指示があった場合には、ステップＳ４０において、Ｎが（Ｎ＋２）に変更され、ステップＳ４５に移行される。一方、指示がない場合には、ステップＳ４１において、Ｎ＝９であるか否かが判断され、Ｎ＝９でない場合には、ステップＳ４２において、Ｎが（Ｎ＋２）に変更される。そして、ステップＳ４３において、Ｎ本目のサンプル容器１００の検体が第２測定ユニット３に搬送され、ステップＳ４４において、優先検体測定の指示があったか否かが判断される。ここで、指示がない場合には、動作はステップＳ３８に移行される。また、指示があった場合には、ステップＳ４６において、優先検体測定の指示が第１測定ユニット２側で行われたか否かが判断される。第１測定ユニット２側である場合には、ステップＳ４７において、（Ｎ＋１）本目のサンプル容器１００の検体が第２測定ユニット３に搬送され、ステップＳ４８において、優先検体測定終了の指示があったか否かが判断される。指示がない場合には、ステップＳ４９において、Ｎ＝９であるか否かが判断され、Ｎ＝９である場合には、ステップＳ３６に移行される。Ｎ＝９でない場合には、ステップＳ５０において、Ｎが（Ｎ＋２）に変更され、動作は、ステップＳ３０に移行される。ステップＳ４８において、指示があった場合には、ステップＳ５１において、Ｎが（Ｎ＋２）に変更される。また、ステップＳ４６において、第１測定ユニット２側でない場合には、動作は、ステップＳ５４に移行される。
【００９１】
また、ステップＳ２９において、優先検体測定の指示が第１測定ユニット２側で行われていない場合には、ステップＳ５２において、Ｎ本目のサンプル容器１００の検体が第１測定ユニット２に搬送される。そして、ステップＳ５３において、優先検体測定終了の指示があったか否かが判断され、指示があった場合には、ステップＳ２５に移行される。指示がない場合には、ステップＳ５４において、（Ｎ＋１）本目のサンプル容器１００の検体も第１測定ユニット２に搬送される。そして、ステップＳ５５において、優先検体測定終了の指示があったか否かが判断され、指示があった場合には、動作は、ステップＳ４２に移行される。指示がない場合には、ステップＳ５６において、Ｎ＝９であるか否かが判断され、Ｎ＝９である場合には、動作は、ステップＳ３６に移行される。Ｎ＝９でない場合には、ステップＳ５７において、Ｎが（Ｎ＋２）に変更され、動作は、ステップＳ５２に移行される。
【００９２】
（第２実施形態）
図１９は、本発明の第２実施形態による血液分析装置の全体構成を示した斜視図である。図２０は、図１９に示した第２実施形態による血液分析装置の優先検体測定時の動作を説明するためのフロー図である。次に、図１０、図１９および図２０を参照して、第２実施形態による血液分析装置６００の優先検体測定時の動作について説明する。なお、この第２実施形態による血液分析装置６００は、上記第１実施形態による血液分析装置１と異なり、第１測定ユニット６０１または第２測定ユニット６０２のいずれか一方の測定ユニットにおいてのみ、優先検体の測定を行うように構成されている。
【００９３】
まず、図２０に示すステップＳ２０１において、表示部５２（図１９参照）に表示する優先検体測定指示画面５２０（図１０参照）の表示指示がユーザからなされたか否かがＣＰＵ５１ａにより判断される。この判断は、表示指示があるまで繰り返され、指示があった場合には、ステップＳ２０２において、表示部５２に優先検体測定指示画面５２０が表示される。ステップＳ２０３において、ユーザが検体識別番号の入力や、測定項目の設定などを行った後、優先検体測定指示画面５２０上に表示されたＯＫボタン５２０ａが押下されたか否かがＣＰＵ５１ａにより判断される。この判断はＯＫボタン５２０ａが押下されるまで継続される。
【００９４】
ここで、第２実施形態では、ＯＫボタン５２０ａが押下された場合には、ステップＳ２０４において、ＣＰＵ５１ａにより、現状において、第１測定ユニット６０１の方が第２測定ユニット６０２よりも早く優先検体の測定を開始することが可能であるか否かが判断される。具体的には、ＣＰＵ５１ａは、制御装置５に送信される第１測定ユニット２および第２測定ユニット３の状態通知や各イベント通知などに基づいて判断を行う。第１測定ユニット６０１の方が早く優先検体の測定を開始することが可能である場合には、ステップＳ２０５において、検体セット部２５５ａが、取り込み口２４から外側に突出するように出される。そして、ステップＳ２０６において、ユーザが優先検体を収容したサンプル容器１００を検体セット部２５５ａにセットした後、優先検体測定開始ボタン２７（図１９参照）が押下されたか否かがＣＰＵ５１ａにより判断される。押下されていない場合には、この判断が繰り返され、押下された場合には、ステップＳ２０７において、検体セット部２５５ａが、取り込み口２４から第１測定ユニット６０１の内側に戻される。これにより、優先検体が第１測定ユニット６０１の内側に取り込まれる。
【００９５】
そして、ステップＳ２０８において、優先検体の測定が行われ、ステップＳ２０９において、測定が終了したか否かが判断される。この判断は、測定が終了するまで繰り返され、測定が終了した場合には、ステップＳ２１０において、検体セット部２５５ａが取り込み口２４から外側に出される。これにより、測定が終了された優先検体のサンプル容器１００が、第１測定ユニット６０１の外側に取り出し可能に排出される。その後、ステップＳ２１１において、測定が終了された優先検体のサンプル容器１００が検体セット部２５５ａから取り除かれたか否かがＣＰＵ５１ａにより判断され、取り除かれるまでこの判断が繰り返される。取り除かれると、ステップＳ２１２において、検体セット部２５５ａが、取り込み口２４から第１測定ユニット６０１の内側に戻され、ステップＳ２１３において、再度、表示部５２に優先検体測定指示画面５２０が表示される。そして、ステップＳ２１４において、ユーザが、次の新たな優先検体用の検体識別番号の入力や、測定項目の設定などを行った後、優先検体測定指示画面５２０上に表示されたＯＫボタン５２０ａが押下されたか否かがＣＰＵ５１ａにより判断される。押下された場合には、動作はステップＳ２０４に移行され、押下されない場合には、ステップＳ２１５において、優先検体測定指示画面５２０上に表示されたキャンセルボタン５２０ｂが押下されたか否かがＣＰＵ５１ａにより判断される。第２実施形態では、ユーザは、キャンセルボタン５２０ｂを押下することによって、優先検体の測定を終了させることが可能である。ステップＳ２１５において、キャンセルボタン５２０ｂが押下されない場合には、ＯＫボタン５２０ａまたはキャンセルボタン５２０ｂのいずれかが押下されるまで、これらの判断が繰り返される。そして、キャンセルボタン５２０ｂが押下されると、そのまま、優先検体の測定動作が終了される。
【００９６】
また、ステップＳ２０４での判断において、第２測定ユニット６０２の方が早く優先検体の測定を開始することが可能である場合には、動作がステップＳ２１６に移行される。ここでは、ステップＳ２１６〜Ｓ２２６までの第２測定ユニット６０２側での優先検体の測定動作は、ステップＳ２０５〜Ｓ２１５に示す第１測定ユニット６０１側での測定動作と同様であるので、第２測定ユニット６０２側での優先検体の測定動作の説明は省略する。
【００９７】
上記のとおり、第２実施形態では、ＣＰＵ５１ａが、第１測定ユニット６０１または第２測定ユニット６０２のいずれの測定ユニットで優先検体の測定を行うかを判断するので、ユーザが優先検体を測定する測定ユニットを選択する必要がない。そのため、図１９に示すように、第２実施形態による血液分析装置６００の第１測定ユニット６０１および第２測定ユニット６０２には、検体セット部開閉ボタンが設けられていない。
【００９８】
なお、第２実施形態による血液分析装置６００のその他の構造は、上記第１実施形態と同様である。
【００９９】
第２実施形態では、上記のように、ＣＰＵ５１ａを、優先検体を測定することが優先検体測定指示画面５２０から指示された場合に、第１測定ユニット２および第２測定ユニット３のうち、優先検体の測定をより早く行うことが可能な測定ユニットを選択するように構成することによって、第１測定ユニット２および第２測定ユニット３のうち、ＣＰＵ５１ａが選択したより早く測定を行うことが可能な方で優先検体の測定を行うことができるので、優先検体の処理を迅速に行うことができる。
【０１００】
また、第２実施形態では、ＣＰＵ５１ａが、第１測定ユニット２および第２測定ユニット３のうち、優先検体の測定をより早く行うことが可能な方を選択し、選択した方の検体セット部だけが外側に出てくるので、第１測定ユニット２および第２測定ユニット３のうち、どちらの検体セット部に優先検体のサンプル容器１００をセットするかを、ユーザが迷うのを抑制することができる。
【０１０１】
（第３実施形態）
図２１は、本発明の第３実施形態による血液分析装置の全体構成を示した斜視図である。図２２は、図２１に示した第３実施形態による血液分析装置の優先検体測定時の動作を説明するためのフロー図である。次に、図１０、図２１および図２２を参照して、第３実施形態による血液分析装置７００の優先検体測定時の動作について説明する。なお、この第３実施形態による血液分析装置７００は、上記第２実施形態による血液分析装置６００と異なり、検体ごとに優先検体測定指示画面５２０から測定の指示を行うことなく、連続して次の新たな優先検体の測定を行うことが可能なように構成されている。
【０１０２】
まず、図２２に示すステップＳ３０１において、表示部５２（図２１参照）に表示する優先検体測定指示画面５２０（図１０参照）の表示指示がユーザからなされたか否かがＣＰＵ５１ａにより判断される。この判断は、表示指示があるまで繰り返され、指示があった場合には、ステップＳ３０２において、表示部５２に優先検体測定指示画面５２０が表示される。ステップＳ３０３において、ユーザが検体識別番号の入力や、測定項目の設定などを行った後、優先検体測定指示画面５２０上に表示されたＯＫボタン５２０ａが押下されたか否かがＣＰＵ５１ａにより判断される。この判断はＯＫボタン５２０ａが押下されるまで継続される。
【０１０３】
ここで、第３実施形態では、ＯＫボタン５２０ａが押下された場合には、ステップＳ３０４において、ＣＰＵ５１ａにより、現状において、第１測定ユニット７０１の方が第２測定ユニット７０２よりも早く優先検体の測定を開始することが可能であるか否かが判断される。具体的には、ＣＰＵ５１ａは、制御装置５に送信される第１測定ユニット７０１および第２測定ユニット７０２の状態通知や各イベント通知などに基づいて判断を行う。第１測定ユニット７０１の方が早く優先検体の測定を開始することが可能である場合には、ステップＳ３０５において、検体セット部２５５ａが、取り込み口２４から外側に突出するように出される。そして、ステップＳ３０６において、ユーザが優先検体を収容したサンプル容器１００を検体セット部２５５ａにセットした後、優先検体測定開始ボタン２７（図２１参照）が押下されたか否かがＣＰＵ５１ａにより判断される。押下されていない場合には、この判断が繰り返され、押下された場合には、ステップＳ３０７において、検体セット部２５５ａが、取り込み口２４から第１測定ユニット７０１の内側に戻される。これにより、優先検体が第１測定ユニット７０１の内側に取り込まれる。
【０１０４】
そして、ステップＳ３０８において、優先検体の測定が行われ、ステップＳ３０９において、測定が終了したか否かが判断される。この判断は、測定が終了するまで繰り返され、測定が終了した場合には、ステップＳ３１０において、検体セット部２５５ａが取り込み口２４から外側に出される。これにより、測定が終了された優先検体のサンプル容器１００が、第１測定ユニット７０１の外側に取り出し可能に排出される。その後、ステップＳ３１１において、優先検体測定開始ボタン２７が押下されたか否かが判断される。
【０１０５】
また、第３実施形態では、ユーザは、測定が終了された優先検体のサンプル容器１００を検体セット部２５５ａから取り除いた後、次の新たな優先検体を収容したサンプル容器１００を検体セット部２５５ａにセットし、優先検体測定開始ボタン２７を押下することによって、連続して優先検体の測定を行うことが可能である。ユーザが次の新たな優先検体を収容したサンプル容器１００を検体セット部２５５ａにセットし、優先検体測定開始ボタン２７を押下した場合には、動作はステップＳ３０７に移行され、連続して次の優先検体の測定が行われる。この場合、ユーザは検体識別番号の入力や、測定項目の設定などを行わなくても、ＣＰＵ５１ａにより自動的に、連続した識別番号が割り当てられるとともに、一度設定された測定項目と同じ項目で測定が行われる。
【０１０６】
一方、優先検体測定開始ボタン２７が押下されない場合には、ステップＳ３１２において、ＣＰＵ５１ａにより、検体セット部クローズボタン７０１ａ（図２１参照）が押下されたか否かが判断される。ユーザは、検体セット部クローズボタン７０１ａを押下することによって、優先検体の測定を終了させることが可能である。検体セット部クローズボタン７０１ａが押下されない場合には、優先検体測定開始ボタン２７または検体セット部クローズボタン７０１ａのいずれかが押下されるまで、これらの判断が繰り返される。そして、検体セット部クローズボタン７０１ａが押下されると、ステップＳ３１３において、検体セット部２５５ａが、取り込み口２４から第１測定ユニット７０１の内側に戻され、優先検体の測定動作が終了される。
【０１０７】
また、ステップＳ３０４での判断において、第２測定ユニット７０２の方が早く優先検体の測定を開始することが可能である場合には、動作がステップＳ３１４に移行される。ここでは、ステップＳ３１４〜Ｓ３２２までの第２測定ユニット７０２側での優先検体の測定動作は、ステップＳ３０５〜Ｓ３１３に示す第１測定ユニット７０１側での測定動作と同様であるので、第２測定ユニット７０２側での優先検体の測定動作の説明は省略する。
【０１０８】
なお、第３実施形態による血液分析装置７００のその他の構造は、上記第２実施形態と同様である。
【０１０９】
第３実施形態では、上記のように、ＣＰＵ５１ａが選択した一方の測定ユニットの検体セット部だけが外側に出てくるので、第１測定ユニット２および第２測定ユニット３のうち、どちらの検体セット部に優先検体のサンプル容器１００をセットするかを、ユーザが迷うのを抑制することができる。
【０１１０】
また、第３実施形態では、ユーザは、測定が終了された優先検体のサンプル容器１００を検体セット部２５５ａから取り除いた後、次の新たな優先検体を収容したサンプル容器１００を検体セット部２５５ａにセットし、優先検体測定開始ボタン２７を押下することによって、連続して優先検体の測定を行うことが可能であるので、優先検体の測定を行う際に、ユーザの負担を軽減することができる。
【０１１１】
なお、第３実施形態のその他の効果は、上記第２実施形態と同様である。
【０１１２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１１３】
たとえば、上記第１〜第３実施形態では、分析装置の一例として血液分析装置を示したが、本発明はこれに限らず、複数の測定ユニットを備える分析装置であれば他の分析装置に本発明を適用してもよい。
【０１１４】
また、上記第１〜第３実施形態では、血液分析装置が、第１測定ユニットおよび第２測定ユニットの２つの測定ユニットを備える例を示したが、本発明はこれに限らず、血液分析装置が、３つ以上の測定ユニットを備える構成であってもよい。
【０１１５】
また、上記第１〜第３実施形態では、優先検体測定の指示がなければ、検体搬送装置が、第１測定ユニットおよび第２測定ユニットに交互に検体を搬送する例を示したが、本発明はこれに限らず、検体搬送装置が、第１測定ユニットおよび第２測定ユニットのうち、検体の搬送時においてより早く検体の測定を開始することができる方の測定ユニットに検体を搬送するようにしてもよい。これにより、この血液分析装置は、第１測定ユニットおよび第２測定ユニットの処理能力がそれぞれ異なる場合にも、検体を迅速に処理することができる。
【０１１６】
また、上記第１〜第３実施形態では、制御装置に１つの制御部を設ける例を示したが、本発明はこれに限らず、第１測定ユニットおよび第２測定ユニットそれぞれに別々の制御部を設けてもよい。また、これらの制御部は、第１測定ユニットおよび第２測定ユニットそれぞれに組み込まれてもよい。
【０１１７】
また、上記第１〜第３実施形態では、第１測定ユニットおよび第２測定ユニットをそれぞれ独立した別々のハウジングに収容する例（図１、図２、図１９および図２１参照）を示したが、本発明はこれに限らず、図２３に示すように、第１測定ユニットおよび第２測定ユニットをともに１つのハウジング７に収容するようにしてもよい。
【０１１８】
また、上記第１〜第３実施形態では、第１測定ユニットおよび第２測定ユニットが、実質的に同種類の測定ユニットである例を示したが、本発明はこれに限らず、第１測定ユニットおよび第２測定ユニットを、それぞれ互いに異なる種類の測定ユニットにしてもよい。
【符号の説明】
【０１１９】
１    血液分析装置（分析装置）
２、６０１、７０１    第１測定ユニット
３、６０２、７０２    第２測定ユニット
４    検体搬送装置（搬送装置）
２６、３６    検体セット部開閉ボタン（測定指示ボタン）
２７、３７    優先検体測定開始ボタン（測定開始ボタン）
５１ａ    ＣＰＵ（搬送制御手段、測定ユニット選択手段）
２５５ａ    検体セット部（第１検体セット部）
３５５ａ    検体セット部（第２検体セット部）
５２０    優先検体測定指示画面（測定指示画面）
【図１】
0005646005.tif 000002
【図２】
0005646005.tif 000003
【図３】
0005646005.tif 000004
【図４】
0005646005.tif 000005
【図５】
0005646005.tif 000006
【図６】
0005646005.tif 000007
【図７】
0005646005.tif 000008
【図８】
0005646005.tif 000009
【図９】
0005646005.tif 000010
【図１０】
0005646005.tif 000011
【図１１】
0005646005.tif 000012
【図１２】
0005646005.tif 000013
【図１３】
0005646005.tif 000014
【図１４】
0005646005.tif 000015
【図１５】
0005646005.tif 000016
【図１６】
0005646005.tif 000017
【図１７】
0005646005.tif 000018
【図１８】
0005646005.tif 000019
【図１９】
0005646005.tif 000020
【図２０】
0005646005.tif 000021
【図２１】
0005646005.tif 000022
【図２２】
0005646005.tif 000023
【図２３】
0005646005.tif 000024